(57)【要約】【目的】  容易に照射角が変更可能な為、多目的に使用できるクリップ型ライトを提供することを目的とする。【構成】  円柱状の回転体にＬＥＤと接点電極を設置し、回転させる事で、電源の入り切りと照射角の変更を可能とした。【選択図】  図１
2006185755.tif 000002
【特許請求の範囲】
【請求項１】
衣服の胸ポケットや帽子のつば等に取り付けられる為のクリップと、電源電池と接点電極を設けた回転体と、該回転体に前記電源電池より電力が供給され、発光するＬＥＤを発光部として設け、前記回転体に設けた接点電極と相対する位置に、前記電源電池と接続した接点電極を設け、前記回転体を回転させることにより発光部のＯＮ、ＯＦＦが行え、同時に発光部から発せられる光の照射方向を可変なものとしたことを特徴とするクリップ型ＬＥＤライト。
【発明の詳細な説明】
【技術分野】
【０００１】
本発明は、暗所を照らす為のクリップを取り付けたＬＥＤライトに関する。
【背景技術】
【０００２】
暗所を照らす為の携帯型ライトを使用する際、手で保持しなくても良い様に、携帯型ライトに保持用のクリップを取り付けたクリップ型ライトが知られている。
現在知られている形態としては、光源であるＬＥＤ、電源である電池、動作させる為の電源スイッチを設けた本体ケースに、クリップを取り付けた構造の物である。また、本体ケースとクリップをボールジョイントで結合し、照射方向を変更できる構造や、クリップが本体に直接結合し、ＬＥＤのみをフレキシブルアームを使ってライト本体に結合する事で照射方向を変更可能とする構造、ＬＥＤを並べた発光部をヒンジで回転させる事が出来る構造の携帯型ライトが知られている。
【特許文献１】特開２００４−３１１１８８号。
【発明の開示】
【発明が解決しようとする課題】
【０００３】
クリップ型ＬＥＤライトの使用方法として、衣服の胸ポケットや合わせに装着して前方を照らす使い方や、帽子のつばに装着して視界を照らす使用方法、書類や本等に装着して文面を照らす使用方法が知られている。クリップ型ＬＥＤライトの使い方として上記した使い方を全て満たす使い方は出来なかった。また、クリップ型ＬＥＤライトの構造上、小型、軽量化が求められる所であるが、照射方向の変更をする為の構造や、操作の為のスイッチ構造の影響で構造が複雑になる為に重量化され、バランスが悪くなる。また、クリップ型ＬＥＤライトを衣服の胸ポケットや、帽子のつばに取り付けた際には、クリップ型ＬＥＤライトの重量に影響されることによるバランスの悪さから、ＬＥＤライトの照射位置が照射したい位置に合わせられないといった不具合や、前記構造の複雑さから操作も煩雑になっていた。
【課題を解決するための手段】
【０００４】
衣服の胸ポケットや帽子のつば等に取り付けられる為のクリップと、電源電池と接点電極を設けた回転体と、該回転体に前記電源電池より電力が供給され、発光するＬＥＤを発光部として設け、前記回転体に設けた接点電極と相対する位置に、前記電源電池と接続した接点電極を設け、前記回転体を回転させることにより発光部のＯＮ、ＯＦＦが行え、同時に発光部から発せられる光の照射方向を可変なものとしたクリップ型ＬＥＤライトを提案するものである。
【発明の効果】
【０００５】
ＬＥＤの点灯（電源スイッチのＯＮ，ＯＦＦ）と、照射方向の変更を１動作で行える様になった。また、衣類の胸ポケット、帽子のつば、書類等に装着して、対象物を照らす用途全てに対応可能となった。
【発明を実施するための最良の形態】
【０００６】
本発明のクリップ型ＬＥＤライトは、軸を中心に回転する円柱状の発光部にＬＥＤと、接点電極を設置し、円柱状の発光部を回転させる事により、円柱状の発光部に設けた接点電極と、電池電源を持つ本体ケースに設置された接点電極が接触してＬＥＤが点灯する。発光部をさらに回転させる事により、任意に照射方向を変更できるクリップ型ＬＥＤライトとした。
【実施例１】
【０００７】
以下、添付図面を参照して本発明を適用した一例であるクリップ型ＬＥＤライトについて説明する。
図１は、本発明のクリップ型ＬＥＤライトの断面図である。
図２は、本発明のクリップ型ＬＥＤライトの上面図である。
参照符号１は、樹脂成形による本体ケースであり、取り外し可能な電池蓋２が付属する。
電池蓋２の内側には、電池３が納められる。電池３には、リチウム電池、アルカリボタン電池、酸化銀電池、空気電池、マンガン乾電池、アルカリ乾電池等の一次電池の他、ニッケルカドミウム電池、ニッケル水素電池、リチウム二次電池、リチウムイオン二次電池等の二次電池も使用可能であるが、それぞれ使用するＬＥＤの仕様に合わせた電圧で無ければならない。定格電圧がＬＥＤの定格と合致しない場合は、電流制限抵抗を設けるか、電圧コンバーター回路を設ける等の措置が必要となる。本実施例では、コイン型リチウム電池２枚を重ねる事で直列に接続した物を使用する。
【０００８】
電池３は、電池正電極４と、電池負電極５がそれぞれ電池３の正、負極に電気的に接続されている。電池正電極４は、バネ性と導電性を持つ金属製で、本体ケース１に固定されている。電池負電極５は導電性を持つ金属製で、電池３を電池正電極４とで挟み込む形で本体ケース１に固定されている。
【０００９】
本体正接点電極６は、バネ性と導電性を持っており、円柱状の発光部７の外周下半分に沿って設けられている帯状電極である。金属製の発光部７を設けた回転体は、ＬＥＤ８を避ける形で片側に寄せて本体ケース１に固定される。参照符号９の本体負接点電極も同様に、バネ性を持った金属製で、発光部を設けた回転体７の外周下半分に沿う形の帯状の電極で、ＬＥＤ８を避ける形で本体正接点電極６の逆側に寄せて本体ケース１に固定される。
本体正接点電極６は電池正電極４と電気的に接続され、本体負接点電極９は、電池負電極５と電気的に接続される。
【００１０】
ＬＥＤ８は、発光部を設けた回転体７に先端のレンズ部を露出する形で固定されている。
発光部を設けた回転体７には、ＬＥＤ８のアノードに電気的に接続された発光部正接点電極１０と、ＬＥＤ８のカソードに電気的に接続された発光部負接点電極１１が固定される。発光部を設けた回転体７は、円柱の中心に回転の為の回転軸１２が設けられた形状であり、本体ケース１の軸受け穴１３に、回転軸１２を填め込む形で固定される。
発光部正接点電極１０は、本体正接点電極６に相対する位置に設置されており、発光部を設けた回転体７を回転させる事により、本体正接点電極６と接触する。発光部負接点電極１１は、発光部正接点電極１０と回転軸１２を基準に水平で、本体負接点電極９に相対する位置に設置されており、発光部を設けた回転体７を回転させる事により、本体負接点電極９と接触する位置関係にある。
【００１１】
発光部を設けた回転体７を回転させると、本体正接点電極６及び本体負接点電極９が、それぞれ発光部正接点電極１０及び発光部負接点電極１１と接触し、電池３よりＬＥＤ８に電流が供給され、ＬＥＤ８が点灯する。さらに発光部を設けた回転体７を回転させると、ＬＥＤ８は点灯したまま、照射する角度が変化する。照射する必要のある角度は、本体ケース１の底面から水平方向に０°〜２００°の方向である。その為には、本体正接点電極６及び本体負接点電極９が発光部７を覆う弧の中心角と、発光部正接点電極１０及び発光部負接点電極１１の中心角を足した値が２００°以上３６０°以下になれば実現される。
【００１２】
例を挙げると、図２の様に本体正接点電極６及び本体負接点電極９が発光部を設けた回転体７の下半分を覆う形で設置され、発光部正接点電極１０及び発光部負接点電極１１が、ＬＥＤ８のレンズ部と正反対の位置から２０°の角度まで設置されていれば良い。但し、この方法を採用すると、ＬＥＤ８を収納して消灯させた状態で発光部正接点電極１０及び発光部負接点電極１１が発光部を設けた回転体７の上面に出てしまう為、本体ケース１の構造によっては露出してしまう恐れがある。これを避ける為には、図３の様に本体正接点電極６及び本体負接点電極９を２０°以上電池３側に回転させた位置にすれば良い。但しこの場合、本体正接点電極６及び本体負接点電極９、さらにそれらを覆う本体ケース１が、ＬＥＤ８の光路を遮らない形状にする必要がある。
【００１３】
前項では、発光部接点電極に発光部を設けた回転体７の回転面、本体接点電極をそれに相対する位置の本体ケース上に設置したが、各電極は図５の様に側面に設置する事も可能である。設置位置については、前項の電極位置をそのまま側面にスライドさせた形となり、発光部接点電極は発光部を設けた回転体７の側面、本体接点電極は本体ケース１の側面内側に設置され、中心角で見た位置関係は同一となる。
【００１４】
本体ケース１の下部には、クリップ１４が設置される。クリップ１４の形状としては、ヒンジ１５を使い、クリップ部１６をバネ１７で押しつける構造とした。他にも、Ｕ字の弾性を持った樹脂成形品からなるクリップや、材料に金属を使用したクリップも採用することが出来る。尚、バネ１６には、板バネ、コイルバネ、ねじりコイルバネ等が使用される。
【００１５】
続いて、実際の使用方法について説明する。
図６は、帽子のつば１８に装着して使用する例を示した説明図である。
発光部を設けた回転体７を回転させてＬＥＤ８を点灯させ、ＬＥＤ８のレンズ部を電池３側に向く様に発光部を設けた回転体７の角度を調整する。その状態で、クリップ１４を上向きにして帽子のつば１８の先端に装着すれば、前方の視界が照らされる。照射方向をさらに下向きにすれば、手作業をする場合も手元を照らす事が出来る。使用を終了する場合は、発光部７を逆向きに回転させ、レンズ部を本体ケースに収納する形にすると、本体接点電極と発光部接点電極が開放されて電流が遮断され、ＬＥＤ３は消灯する。
【００１６】
図７は、衣服の胸ポケット１９に装着した図である。
前項と同様にＬＥＤ８を点灯させて使用するが、この場合は、照射方向は本体ケース１より上向きになる。
【００１７】
図８は、書類２０に装着した図である。
これも前項と同様に使用するが、照射方向は、ＬＥＤ８が書類の表面より多少浮いた位置に来る為に、本体ケース１の前方やや下向きとなる。発光部の照射角度を０°〜１８０°ではなく０°〜２００°としたのは、この為である。
【図面の簡単な説明】
【００１８】
【図１】側面から見た断面図
【図２】上面図
【図３】電極の配置図１
【図４】電極の配置図２
【図５】電極の配置図３
【図６】帽子のつばに装着した図
【図７】衣類の胸ポケットに装着した図
【図８】書類に装着した図
【符号の説明】
【００１９】
１  本体ケース
２  電池蓋
３  電池
４  電池正電極
５  電池負電極
６  本体正接点電極
７  発光部
８  ＬＥＤ
９  本体負接点電極
１０  発光部正接点電極
１１  発光部負接点電極
１２  回転軸
１３  軸受け穴
１４  ヒンジ
１５  クリップ部
１６  バネ
【図１】
2006185755.tif 000003
【図２】
2006185755.tif 000004
【図３】
2006185755.tif 000005
【図４】
2006185755.tif 000006
【図５】
2006185755.tif 000007
【図６】
2006185755.tif 000008
【図７】
2006185755.tif 000009
【図８】
2006185755.tif 000010